(57)【特許請求の範囲】
【請求項１】
背ボトムおよび脚ボトムを有する寝台と；
前記背ボトムおよび前記脚ボトムのうちの少なくとも一方である可動ボトムを回動軸回
りに回動自在に支持する支持架台と； 
前記可動ボトムを前記回動軸回りに回動させる駆動機構と；
前記駆動機構としての手動式の駆動機構または電動式の駆動機構の両駆動機構が着脱自在に取り付けられた受け部材と；
を備え、
前記支持架台は、
頭側の横部材と、
脚側の横部材と、
前記頭側の前記横部材に取り付けられた頭側の脚部材と、
前記脚側の前記横部材に取り付けられた脚側の脚部材と、
を含み、
前記支持架台の脚側の端部と、前記脚側の脚部材と、の距離は、前記支持架台の頭側の端部と、前記頭側の脚部材と、の距離よりも短く、
前記受け部材は、前記脚側の横部材に取り付けられた、寝台装置。
【請求項２】
前記脚側の脚部材は、前記脚側の横部材の両端部に設けられた、請求項１記載の寝台装置。
【請求項３】
前記受け部材に、前記寝台装置の外部からアクセス可能である、請求項１または２に記載の寝台装置。
【請求項４】
前記受け部材が、前記両駆動機構のうち、一方には直接取り付けられ、他方にはジョイント部材を介して取り付けられる、請求項１〜３のいずれか１つに記載の寝台装置。
【請求項５】
前記両駆動機構が、前記脚ボトムの下方に配置される、請求項１〜４のいずれか１つに記載の寝台装置。
【発明の詳細な説明】
【技術分野】
【０００１】
本発明は、寝台装置に関する。
【背景技術】
【０００２】
従来から、例えば下記特許文献１に示すような寝台装置が知られている。寝台装置は、背ボトムおよび脚ボトムを有する寝台と、背ボトムおよび脚ボトムを回動軸回りに回動自在に支持する支持架台と、背ボトムおよび脚ボトムを回動軸回りに回動させる駆動機構と、を備えている。
【先行技術文献】
【特許文献】
【０００３】
【特許文献１】特開２００６−３４０９６２号公報
【発明の概要】
【発明が解決しようとする課題】
【０００４】
ところで、前記従来の寝台装置は、駆動機構として、電力を動力源とする電動駆動部を有する電動式の駆動機構を採用している。このような電動式の駆動機構を有する寝台装置は利便性が高い一方で高価であることから、安価な寝台装置も望まれている。
そこで、駆動機構として、人の操作を動力源とする手動駆動部を採用した手動式の駆動機構を採用することが考えられる。この場合、寝台装置そのものは安価にすることができるものの、将来的に電動式の駆動機構を有する寝台装置を所望する場合、寝台装置全体を入れ替えなくてはならず、全体での費用がかえってかかるおそれがある。
【０００５】
本発明は、前述した事情に鑑みてなされたものであって、費用を抑えつつ手動式と電動式の駆動機構を切り替えることができる寝台装置の提供を目的とする。
【課題を解決するための手段】
【０００６】
前記課題を解決するために、本発明は以下の手段を提案している。
（１）本発明に係る寝台装置は、背ボトムおよび脚ボトムを有する寝台と；前記背ボトムおよび前記脚ボトムのうちの少なくとも一方である可動ボトムを回動軸回りに回動自在に支持する支持架台と；前記可動ボトムを前記回動軸回りに回動させる駆動機構と；前記駆動機構としての手動式の駆動機構または電動式の駆動機構の両駆動機構が着脱自在に取り付けられた受け部材と；を備える。前記支持架台は、頭側の横部材と、脚側の横部材と、前記頭側の前記横部材に取り付けられた頭側の脚部材と、前記脚側の前記横部材に取り付けられた脚側の脚部材と、を含む。前記支持架台の脚側の端部と、前記脚側の脚部材と、の距離は、前記支持架台の頭側の端部と、前記頭側の脚部材と、の距離よりも短い。前記受け部材は、前記脚側の横部材に取り付けられる。
【０００７】
（２）上記（１）に記載の寝台装置では、前記支持架台に、前記駆動機構としての手動式の駆動機構または電動式の駆動機構の両駆動機構が着脱自在である構成を採用してもよい。
【０００８】
これらの発明では、駆動機構が、支持架台に着脱自在に取り付けられる。したがって、駆動機構を手動式から電動式に切り替えるときには、寝台装置全体を入れ替えることなく、手動式の駆動機構を支持架台から離脱させた後、電動式の駆動機構を支持架台に取り付ければよい。これにより、費用を抑えつつ手動式と電動式の駆動機構を切り替えることができる。
【０００９】
（３）上記（２）に記載の寝台装置では、前記支持架台に、前記両駆動機構が共通して固定される受け部材が設けられている構成を採用してもよい。
【００１０】
この場合、支持架台に、手動式の駆動機構および電動式の駆動機構が共通して取り付けられる受け部材が設けられているので、手動式の駆動機構と電動式の駆動機構とを容易に切り替えることができる。
【００１１】
（４）上記（３）に記載の寝台装置では、前記受け部材に、当該寝台装置の外部からアクセス可能である構成を採用してもよい。
【００１２】
この場合、受け部材に、当該寝台装置の外部からアクセス可能であるので、寝台装置が設置された状態で、外部から受け部材にアクセスして駆動機構を着脱させることが可能になり、例えば、工場のみならず客先であっても駆動機構を容易に交換することができる。
【００１３】
（５）上記（３）または（４）に記載の寝台装置では、前記受け部材が、前記両駆動機構のうち、一方には直接取り付けられ、他方にはジョイント部材を介して取り付けられる構成を採用してもよい。
【００１４】
この場合、受け部材が、手動式の駆動機構および電動式の駆動機構のうち、一方には直接取り付けられ、他方にはジョイント部材を介して取り付けられる。したがって、手動式の駆動機構と電動式の駆動機構との間で大きさの違いがあるとしても、その大きさの違いを、ジョイント部材によって吸収することができる。これにより、駆動機構の大きさの自由度を高め、駆動機構の選択の幅を広げることができる。
【００１５】
（６）上記（１）から（５）のいずれか１つに記載の寝台装置では、前記駆動機構が、前記脚ボトムの下方に配置される構成を採用してもよい。
【００１６】
この場合、駆動機構が、脚ボトムの下方に配置される。したがって、例えば手動式の駆動機構を支持架台に取り付けたときに、駆動機構の操作を、寝台装置に対して脚側から実施し易くすることができる。これにより、操作性を向上させることができる。また例えば、電動式の駆動機構を支持架台に取り付けたときに、電力を動力源とする電動駆動部を、脚ボトムにおいて、背ボトムとは反対側に位置する端部の下方に配置することができる。したがって、音や振動の発生源となり得る電動駆動部を、寝台上の使用者の頭部から大きく離間させ易くすることができる。
【発明の効果】
【００１７】
本発明によれば、費用を抑えつつ手動式と電動式の駆動機構を切り替えることができる。
【図面の簡単な説明】
【００１８】
【図１】本発明の一実施形態に係る寝台装置を左右方向から見た側面図である。
【図２】図１に示す寝台装置の上面図である。
【図３】図１に示す寝台装置の下面図である。
【図４】図１に示す寝台装置を脚側から見た側面図である。
【図５】図１に示す寝台装置を構成する背ボトムおよび脚ボトムを回動させた状態を示す斜視図である。
【図６】図１に示す寝台装置の左右方向に直交する断面図であって、手動式の第１駆動機構を示す図である。
【図７】図１に示す寝台装置の左右方向に直交する断面図であって、手動式の第２駆動機構を示す図である。
【図８】図１に示す寝台装置の下面図であって、電動式の駆動機構が装着されている状態を示す図である。
【図９】図１に示す寝台装置の左右方向に直交する断面図であって、電動式の駆動機構が装着されている状態を示す図である。
【発明を実施するための形態】
【００１９】
本発明の一実施形態に係る寝台装置１０を、図面に基づいて以下に説明する。寝台装置１０は、例えば、医療環境下（介護環境下を含む）において利用することができる。図１から図９において、矢印Ｈは人（使用者）が寝る際に頭側となる向きを示し、また矢印Ｆは人が寝る際に脚側となる向きを示している。以下の説明においては、矢印Ｈ、Ｆの方向である前後方向に対して直交する水平方向を左右方向と言う場合が有る。
【００２０】
図１から図５に示すように、寝台装置１０は、寝台１１と、支持架台１２と、ボード１３と、駆動機構１４と、を備えている。なお図５では、駆動機構１４の図示を省略している。
寝台１１は、長尺でかつ複数並設されることで寝台面１５を形成するパネル部材１６を備えている。各パネル部材１６は、互いに同等の形状でかつ同等の大きさに形成されている。各パネル部材１６は、左右方向（パネル部材が延びるパネル長手方向）に延びる長尺な板状に形成され、各パネル部材１６の表裏面は、上下方向を向いている。パネル部材１６は、前後方向に複数並設されている。各パネル部材１６は、駆動機構１４によって寝台１１が背上げまたは膝上げ等の変形、例えば起伏を伴う回動させられる前の標準状態において、上下方向および左右方向のいずれの方向においても同等の位置に配置され、同一平面上に配置されている。
【００２１】
各パネル部材１６の左右方向の両端部には、左右一対のカバー部材１７が設けられている。カバー部材１７は、各パネル部材１６に左右方向の外側から装着されている。カバー部材１７は、左右方向の外側に向けて突となる半楕円形状に形成されている。
複数のパネル部材１６および複数のカバー部材１７の各上面は、前述の寝台面１５を形成している。寝台面１５は、前述の標準状態において、上下方向に直交する直交面とされている。寝台面１５は、その平面視において左右方向よりも前後方向に長い矩形状に形成されている。寝台面１５の長手方向は前後方向とされ、寝台面１５の短手方向は左右方向となっている。寝台面１５上には、マットレスＭが配置される。
【００２２】
複数のパネル部材１６は、前後方向に複数のグループに区画されている。複数のパネル部材１６は、頭側Ｈから脚側Ｆに向けて、背ボトム１８と、脚ボトム１９と、の順にグループ分けされている。さらに、脚ボトム１９は、頭側Ｈから脚側Ｆに向けて、膝ボトム２０と、足ボトム２１と、の順にグループ分けされている。背ボトム１８は、寝台面１５における背に対応し、脚ボトム１９は、寝台面１５における腰から足に対応する。膝ボトム２０は、寝台面１５における腰から膝に対応し、足ボトム２１は、寝台面１５における膝から足に対応する。背ボトム１８の上面および脚ボトム１９（膝ボトム２０および脚ボトム１９）の上面はそれぞれ、寝台面１５の一部を形成している。
【００２３】
支持架台１２は、寝台１１を支持する。本実施形態では、支持架台１２が、背ボトム１８および脚ボトム１９（可動ボトム）を回動軸２２、２３回りに回動自在に支持していて、寝台装置１０は、いわゆるギャッチベットとなっている。支持架台１２は、架台本体２４と、第１回動機構２５と、第２回動機構２６と、を備えている。
架台本体２４は、寝台１１、および寝台１１上の使用者それぞれの荷重を受け止める。架台本体２４は、平面視において矩形状をなすメインフレーム２７と、メインフレーム２７から下方に向けて延びる脚部材２８と、を備えている。
【００２４】
メインフレーム２７（架台本体２４）は、左右方向に寝台１１（寝台面１５）よりも小さく、メインフレーム２７の幅（左右方向の大きさ）は、寝台１１の幅よりも狭い。メインフレーム２７の左右方向の中央部は、寝台１１の左右方向の中央部と左右方向に同等の位置に配置されている。寝台１１は、メインフレーム２７から左右方向の両側に突出している。メインフレーム２７は、寝台１１の左右方向の両端部を下方から支持可能とされている。
【００２５】
メインフレーム２７は、前後方向に延びる左右一対の縦部材３０と、左右方向に延びる前後一対の横部材３１と、を備えている。前後一対の横部材３１は、左右一対の縦部材３０を左右方向に連結している。横部材３１の左右方向の端部は、縦部材３０に連結されている。縦部材３０の前後方向の端部は、横部材３１よりも前後方向の外側に突出している。
脚部材２８は、複数備えられていて、本実施形態では、左右一対の脚部材２８が、前後方向に間隔をあけて一対配置されている。脚部材２８は、メインフレーム２７において縦部材３０と横部材３１とが連結された部分に配置されている。脚部材２８の下端部には、キャスター２９が設けられている。
【００２６】
第１回動機構２５は、背ボトム１８を第１回動軸２２回りに回動自在に保持する。第１回動機構２５は、背ボトム１８を第１回動軸２２回りに起伏回動することで、背ボトム１８の頭側Ｈを上昇させながら背ボトム１８を水平面に対して傾斜させる。第１回動機構２５は、第１被連結部材３２と、第１可動部材３３と、第１固定部材３４と、を備えている。
【００２７】
第１被連結部材３２には、背ボトム１８を形成するパネル部材１６が連結される。第１被連結部材３２は、背ボトム１８を形成する複数のパネル部材１６を一体に連結する。第１被連結部材３２は、各パネル部材１６の下面に連結されている。第１被連結部材３２は、前後方向に延びるとともに、左右方向に間隔をあけて一対配置されている。
【００２８】
第１可動部材３３は、背ボトム１８に連結されており、本実施形態では、第１被連結部材３２を介して背ボトム１８に連結されている。第１可動部材３３は、可動バー部３５と、可動プレート部３６と、を備えている。可動バー部３５は、背ボトム１８に対して脚側Ｆに位置していて、架台本体２４上に配置されている。可動バー部３５は、左右方向に直線状に延び、一対の縦部材３０上に架設されている。可動バー部３５には、第１被連結部材３２の脚側Ｆの端部が連結されている。
【００２９】
可動プレート部３６は、可動バー部３５を左右方向の両側から挟み込んで一対設けられている。各可動プレート部３６は、可動バー部３５の左右方向の端部に、左右方向の外側から連結されている。各可動プレート部３６は、第１可動部材３３の左右方向の端部を形成している。第１可動部材３３の左右方向の端部は、左右方向の外側に露出している。可動プレート部３６の上端部は、寝台面１５よりも上方に突出している。
【００３０】
第１固定部材３４は、架台本体２４に連結されている。第１固定部材３４は、固定バー部３７と、固定プレート部３８と、を備えている。固定バー部３７は、可動バー部３５に対して脚側Ｆに位置していて、架台本体２４上に配置されている。固定バー部３７は、左右方向に直線状に延び、一対の縦部材３０材上に架設されている。固定バー部３７は、各縦部材３０に連結されている。
【００３１】
固定プレート部３８は、固定バー部３７を左右方向の両側から挟み込んで一対設けられている。各固定プレート部３８は、固定バー部３７の左右方向の端部に、左右方向の外側から連結されている。各固定プレート部３８は、第１固定部材３４の左右方向の外側の端部を形成している。第１固定部材３４の左右方向の端部は、左右方向の外側に露出している。固定プレート部３８の上端部は、寝台面１５よりも上方に突出している。
【００３２】
第１固定部材３４は、左右一対の可動プレート部３６の内側に配置され、固定プレート部３８は、可動プレート部３６に左右方向の内側から隣接している。第１固定部材３４は、第１可動部材３３に第１回動軸２２を介して連結されている。第１回動軸２２は、寝台面１５の上方に位置して左右方向に延びている。第１回動軸２２は、左右一対、同軸に配置されていて、可動プレート部３６および固定プレート部３８の上端部同士を連結している。
なお、このように第１回動軸２２が寝台面１５の上方に位置することで、寝台面１５上の使用者の大転子に第１回動軸２２が接近する。これにより、背ボトム１８が第１回動軸２２回りに回転するときに、使用者の圧迫感が低減される。
【００３３】
第２回動機構２６は、脚ボトム１９を第２回動軸２３回りに回動自在に保持する。第２回動機構２６は、脚ボトム１９を第２回動軸２３回りに回動することで、脚ボトム１９において膝ボトム２０と足ボトム２１との間に位置する部分が上側に向けて突となるように、脚ボトム１９を屈曲させる。このとき、膝ボトム２０の頭側Ｈの端部が前後方向に固定された状態で、足ボトム２１の脚側Ｆの端部が架台本体２４上を頭側Ｈに移動する。
【００３４】
第２回動機構２６は、第２被連結部材３９と、第２可動部材４０と、第２固定部材４１と、を備えている。第２被連結部材３９には、脚ボトム１９を形成するパネル部材１６が連結される。第２被連結部材３９は、脚ボトム１９を形成する複数のパネル部材１６を一体に連結する。第２被連結部材３９は、各パネル部材１６の下面に連結されている。第２被連結部材３９は、前後方向に延びるとともに、左右方向に間隔をあけて一対配置されている。
【００３５】
各第２被連結部材３９は、前後方向に沿って頭側分割部４２と脚側分割部４３とに２分割されている。頭側分割部４２には、膝ボトム２０を形成するパネル部材１６が連結され、脚側分割部４３には、足ボトム２１を形成するパネル部材１６が連結される。頭側分割部４２と脚側分割部４３とは、左右方向に延びる第３回動軸４４を介して回動自在に連結されている。
【００３６】
第２可動部材４０は、脚ボトム１９に連結されており、本実施形態では、第２被連結部材３９を介して脚ボトム１９に連結されている。第２可動部材４０は、第２被連結部材３９に対して頭側Ｈに位置している。第２可動部材４０には、第２被連結部材３９の頭側Ｈの端部が連結されている。なお、第２被連結部材３９の脚側Ｆの端部は、自由端とされている。
【００３７】
第２固定部材４１は、架台本体２４に連結されており、本実施形態では、第１固定部材３４を介して架台本体２４に連結されている。第２固定部材４１は、第１固定部材３４から脚側Ｆに向けて突出している。第２固定部材４１は、左右方向に間隔をあけて一対配置されている。第２固定部材４１は、第２可動部材４０に第２回動軸２３を介して連結されている。第２回動軸２３は、寝台面１５の下方に位置して左右方向に延びている。第２回動軸２３は、左右一対、同軸に配置されている。
【００３８】
前記支持架台１２では、第１回動機構２５を介して背ボトム１８が架台本体２４に連結され、第２回動機構２６を介して脚ボトム１９が架台本体２４に連結されている。第１回動機構２５および第２回動機構２６が、前述の標準状態から背ボトム１８および脚ボトム１９を回動させることで、寝台１１は、図５に示すような、背上げおよび脚上げ（膝上げ）がされた典型的な使用状態となる。寝台１１を標準状態から使用状態にするときには、脚上げを背上げに先行して実施することで、使用者の寝台装置１０に対するずれを効果的に防止することができる。
【００３９】
図１から図５に示すように、ボード１３は、支持架台１２に固定され、寝台面１５よりも上方に立ち上がっている。ボード１３は、前後一対、備えられていて、架台本体２４の前後方向の両側の端部から立ち上がっている。
【００４０】
駆動機構１４は、背ボトム１８および脚ボトム１９（可動ボトム）を回動軸２２、２３回りに回動させる。駆動機構１４は、背ボトム１８を回動させる第１駆動機構１４ａと、脚ボトム１９を回動させる第２駆動機構１４ｂと、を備えている。
各駆動機構１４は、支持架台１２に取り付けられる。各駆動機構１４は、脚ボトム１９の下方に配置される。各駆動機構１４は、寝台１１の下方に設けられた配置空間４５に配置される。配置空間４５は、架台本体２４におけるメインフレーム２７と脚部材２８との間に設けられている。各駆動機構１４は、当該寝台装置１０の左側または右側に向けて配置空間４５を通して露出している。
【００４１】
各駆動機構１４は、伸縮部４６と、駆動部４７と、を備えている。伸縮部４６は、前後方向に延び、前後方向に伸縮自在とされている。駆動部４７は、外部から供給される動力に基づいて伸縮部４６を伸縮させる。
各駆動機構１４は、可動ボトムである背ボトム１８または脚ボトム１９と、架台本体２４と、にそれぞれ連結される。各駆動機構１４は、支持架台１２に設けられた前後一対のリンク機構４８、４９を介して、背ボトム１８または脚ボトム１９と、架台本体２４と、に連結される。前後一対のリンク機構４８、４９は、各駆動機構１４の伸縮部４６の前後方向の伸縮を、背ボトム１８または脚ボトム１９の回動軸２２、２３回りの回動に変換する。
【００４２】
第１駆動機構１４ａの頭側Ｈに設けられたリンク機構４８ａは、第１駆動機構１４ａと第１可動部材３３とを連結し、第１駆動機構１４ａの脚側Ｆに設けられたリンク機構４９ａは、第１駆動機構１４ａと架台本体２４を連結している。これらの両リンク機構４８ａ、４９ａは、第１駆動機構１４ａの伸長を、背ボトム１８の第１回動軸２２回りの上側に向けた回動に変換する。
また、第２駆動機構１４ｂの頭側Ｈに設けられたリンク機構４８ｂは、第２駆動機構１４ｂと第２可動部材４０とを連結し、第２駆動機構１４ｂの脚側Ｆに設けられたリンク機構４９ｂは、第２駆動機構１４ｂと架台本体２４を連結している。これらの両リンク機構４８ｂ、４９ｂは、第２駆動機構１４ｂの収縮を、脚ボトム１９の第２回動軸２３回りの上側に向けた回動に変換する。
【００４３】
なお、頭側Ｈの各リンク機構４８は、支持架台１２に設けられたリンク部材５０が、ピン部材５１を介して各駆動機構１４に接続されてなる。脚側Ｆの各リンク機構４９は、支持架台１２に設けられた取付け部材５６が、ピン部材５１を介して各駆動機構１４に接続されてなる。
図６に示すように、リンク機構４８ａのリンク部材５０は、前後方向に延びている。このリンク部材５０のうち、脚側Ｆの端部は、第１可動部材３３に直接、離脱不能に連結され、頭側Ｈの端部は、伸縮部４６にピン部材５１を介して着脱自在に連結されている。リンク機構４９ａの取付け部材５６は、上下方向に延びている。この取付け部材５６のうち、上側の端部は、横部材３１に直接、離脱不能に連結され、下側の端部は、伸縮部４６にピン部材５１を介して着脱自在に連結されている。
【００４４】
図７に示すように、リンク機構４８ｂのリンク部材５０は、前後方向に延びている。このリンク部材５０のうち、頭側Ｈの端部は、第２可動部材４０に直接、離脱不能に連結され、脚側Ｆの端部は、伸縮部４６にピン部材５１を介して着脱自在に連結されている。リンク機構４９ｂの取付け部材５６は、上下方向に延びている。この取付け部材５６のうち、上側の端部は、横部材３１に直接、離脱不能に連結され、下側の端部は、伸縮部４６にピン部材５１を介して着脱自在に連結されている。
【００４５】
なお各駆動機構１４において、駆動部４７は、人の操作を動力源とする手動駆動部であり、各駆動機構１４は、手動式の駆動機構１４となっている。駆動部４７は、伸縮部４６の脚側Ｆの端部に配置され、架台本体２４から前後方向に沿う脚側Ｆに向けて突出している。これにより、駆動部４７によって背ボトム１８および脚ボトム１９を回動させるときに、操作性が確保されている。一方、駆動部４７を操作しない状態（寝台装置１０の通常の使用状態）では、例えば、駆動部４７が脚側Ｆから頭側Ｈに向けて屈曲されること等により、駆動部４７が、図１に二点鎖線で示す位置Ｐに配置されて配置空間４５内に格納され、医療従事者などの邪魔になることが抑えられる。
【００４６】
ここで本実施形態では、各駆動機構１４は、支持架台１２に着脱自在に取り付けられる。そして、図１から図７に示すような手動式の駆動機構１４を支持架台１２から取り外した後、その支持架台１２に、図８および図９に示すような、駆動部４７が電力を動力源とする電動駆動部とされた電動式の駆動機構５２を着脱自在に取り付けることができる。つまり、支持架台１２には、手動式の駆動機構１４または電動式の駆動機構５２の両駆動機構１４、１５が着脱自在である。
なお以下では、手動式の駆動機構１４を単に駆動機構１４といい、電動式の駆動機構５２を単に駆動機構５２といい、駆動機構１４および駆動機構５２の両方をあわせて駆動機構１４、５２いう場合がある。
【００４７】
図８および図９に示すように、駆動機構５２は、手動式の駆動機構１４と同様に、背ボトム１８を回動させる第１駆動機構５２ａと、脚ボトム１９を回動させる第２駆動機構５２ｂと、を備えている。各駆動機構５２は、可動ボトムである背ボトム１８または脚ボトム１９と、架台本体２４と、にそれぞれ連結される。各駆動機構５２は、支持架台１２に設けられた前後一対のリンク機構５３、５４を介して、背ボトム１８または脚ボトム１９と、架台本体２４と、に連結される。前後一対のリンク機構５３、５４は、各駆動機構１４の伸縮部４６の前後方向の伸縮を、背ボトム１８または脚ボトム１９の回動軸２２、２３回りの回動に変換する。
【００４８】
なお、リンク機構５３、５４のうち、各駆動機構５２の頭側Ｈに配置されたリンク機構５３ａ、５３ｂは、駆動機構１４に対する頭側Ｈのリンク機構４８ａ、４８ｂと同様の構成であり、リンク部材５０がピン部材５１を介して各駆動機構５２に接続されてなる。
一方、リンク機構５３、５４のうち、各駆動機構５２の脚側Ｆに配置されたリンク機構５４ａ、５４ｂは、駆動機構１４に対する脚側Ｆのリンク機構４９ａ、４９ｂが備える取付け部材５６およびピン部材５１に加え、さらにジョイント部材５５を備えている。ジョイント部材５５は、取付け部材５６に締結され、取付け部材５６から前方に向けて突出する。ジョイント部材５５は、駆動機構５２にピン部材５１を介して連結される。
【００４９】
前記寝台装置１０において、リンク部材５０および取付け部材５６は、手動式の駆動機構１４および電動式の駆動機構５２が共通して取り付けられる受け部材を形成している。また取付け部材５６は、手動式の駆動機構１４には直接取り付けられ、電動式の駆動機構５２にはジョイント部材５５を介して取り付けられる。
【００５０】
リンク部材５０および取付け部材５６には、当該寝台装置１０の外部からアクセス可能である。リンク部材５０および取付け部材５６は、寝台装置１０が設置された状態で、配置空間４５を通して外部に露出している。したがって、駆動機構１４、５２を交換するときに、作業者は、寝台装置１０が設置された状態から寝台装置１０を大きく移動させることなく、配置空間４５を通してリンク部材５０および取付け部材５６それぞれにアクセスして駆動機構１４、５２を着脱することができる。
【００５１】
以上説明したように、本実施形態に係る寝台装置１０によれば、駆動機構１４、５２が、支持架台１２に着脱自在に取り付けられる。したがって、駆動機構１４、５２を手動式から電動式に切り替えるときには、寝台装置１０全体を入れ替えることなく、手動式の駆動機構１４を支持架台１２から離脱させた後、電動式の駆動機構５２を支持架台１２に取り付ければよい。これにより、費用を抑えつつ手動式と電動式の駆動機構１４、５２を切り替えることができる。
【００５２】
また、支持架台１２に、手動式の駆動機構１４および電動式の駆動機構５２が共通して取り付けられるリンク部材５０および取付け部材５６が設けられているので、手動式の駆動機構１４と電動式の駆動機構５２とを容易に切り替えることができる。
また、リンク部材５０および取付け部材５６に、当該寝台装置１０の外部からアクセス可能であるので、寝台装置１０が設置された状態で、外部からリンク部材５０および取付け部材５６それぞれにアクセスして駆動機構１４、５２を着脱させることが可能になり、例えば、工場のみならず客先であっても駆動機構１４、５２を容易に交換することができる。
【００５３】
また、取付け部材５６が、手動式の駆動機構１４および電動式の駆動機構５２のうち、一方である手動式の駆動機構１４には直接取り付けられ、他方である電動式の駆動機構５２にはジョイント部材５５を介して取り付けられる。したがって、手動式の駆動機構１４と電動式の駆動機構５２との間で大きさの違いがあるとしても、その大きさの違いを、ジョイント部材５５によって吸収することができる。これにより、駆動機構１４、５２の大きさの自由度を高め、駆動機構１４、５２の選択の幅を広げることができる。
【００５４】
また、駆動機構１４、５２が、脚ボトム１９の下方に配置される。したがって、例えば手動式の駆動機構１４を支持架台１２に取り付けたときに、駆動機構１４の操作を、寝台装置１０に対して脚側Ｆから実施し易くすることができる。これにより、操作性を向上させることができる。また例えば、電動式の駆動機構５２を支持架台１２に取り付けたときに、電力を動力源とする電動駆動部を、脚ボトム１９において、背ボトム１８とは反対側に位置する端部の下方に配置することができる。したがって、音や振動の発生源となり得る電動駆動部を、寝台１１上の使用者の頭部から大きく離間させ易くすることができる。
【００５５】
なお、本発明の技術的範囲は前記実施形態に限定されるものではなく、本発明の趣旨を逸脱しない範囲において種々の変更を加えることが可能である。
【００５６】
前記実施形態では、駆動機構１４、５２が、脚ボトム１９の下方に配置されるが、本発明はこれに限られない。例えば、駆動機構１４、５２が、背ボトム１８の下方に配置されてもよい。
【００５７】
電動式の駆動機構５２を支持架台１２に取り付けるときに、ジョイント部材５５がなくてもよい。また、電動式の駆動機構５２を取り付けるときにジョイント部材５５がない一方で、手動式の駆動機構１４を取り付けるときにジョイント部材５５を設けてもよい。
【００５８】
前記実施形態では、支持架台１２に手動式の駆動機構１４を取り付けるときには、第１駆動機構１４ａおよび第２駆動機構１４ｂの両方とも手動式の駆動機構１４とし、支持架台１２に電動式の駆動機構５２を取り付けるときには、第１駆動機構５２ａおよび第２駆動機構５２ｂの両方とも電動式の駆動機構５２としたが、本発明はこれに限られない。例えば、第１駆動機構および第２駆動機構のうちの一方を手動式の駆動機構１４とし、他方を電動式の駆動機構５２としてもよい。
【００５９】
背ボトム１８と脚ボトム１９との間に、腰ボトムが配置されていてもよい。前記腰ボトムとしては、支持架台１２に固定された構成を採用することが可能である。
【００６０】
前記実施形態では、背ボトム１８および脚ボトム１９の両方が、回動軸２２、２３回りに回動する可動ボトムとされたいわゆる２クランク（２ＡＣＴ）のギャッチベッドを採用したが、本発明はこれに限られない。例えば、背ボトム１８または脚ボトム１９が回動軸２２、２３回りに回動する１クランク（１ＡＣＴ）のギャッチベッドを採用することも可能である。この場合、寝台装置１０に、背ボトム１８を可動ボトムした背上げ機能を優先して搭載することができる。つまり、本発明は、背ボトム１８および脚ボトム１９のうちの少なくとも一方を可動ボトムとした構成を採用することが可能であり、背ボトム１８および脚ボトム１９のうちの少なくとも背ボトム１８を可動ボトムとした構成を採用することができる。
【００６１】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００６２】
１０   寝台装置
１１   寝台
１２   支持架台
１４、５２     駆動機構
１８   背ボトム（可動ボトム）
１９   脚ボトム（可動ボトム）
２２、２３     回動軸
５０   リンク部材（受け部材）
５５   ジョイント部材
５６   取付け部材（受け部材）
【図１】
0006595264.tif 000002
【図２】
0006595264.tif 000003
【図３】
0006595264.tif 000004
【図４】
0006595264.tif 000005
【図５】
0006595264.tif 000006
【図６】
0006595264.tif 000007
【図７】
0006595264.tif 000008
【図８】
0006595264.tif 000009
【図９】
0006595264.tif 000010